(57)【要約】【課題】本発明は設置する現場での設置作業時に分岐線の接続されていない状態で、楽に吊り上げることができるとともに、現場で幹線ケーブル本体のシースを除去する作業を行なうことなく、分岐線の他方のコネクタを幹線ケーブル本体に工場で取付けられた分岐接続具の一方のコネクタに差し込むだけの簡単で、短時間に行なえる作業で接続することができる幹線ケーブルを得るにある。【解決手段】ビル等の建物に設置される幹線ケーブル本体と、この幹線ケーブル本体に所定間隔でシースを除去した導体部位にそれぞれ一端部がカシメ等によって固定され他端部が該幹線ケーブル本体と離間するように一方のコネクタが形成された分岐接続具と、この分岐接続具およびシースを除去した部位をそれぞれ該分岐接続具の一方のコネクタに分岐線の他方のコネクタを差し込み接続できるように覆った樹脂モールド絶縁カバー体とで幹線ケーブルを構成している。【選択図】  図１
2005019318.tif 000002
【特許請求の範囲】
【請求項１】
ビル等の建物に設置される幹線ケーブル本体と、この幹線ケーブル本体に所定間隔でシースを除去した導体部位にそれぞれ一端部が嵌合やカシメ等によって固定され、他端部が該幹線ケーブル本体と離間するように一方のコネクタが形成された分岐接続具と、この分岐接続具および前記シースを除去した部位をそれぞれ、該分岐接続具の一方のコネクタに分岐線の他方のコネクタを差し込み接続できるように覆った樹脂モールド絶縁カバー体とからなることを特徴とする幹線ケーブル。
【請求項２】
ビル等の建物に設置される幹線ケーブル本体と、この幹線ケーブル本体に所定間隔でシースを除去した導体部位にそれぞれ嵌合やカシメ等によって固定され、他端部が該幹線ケーブル本体と所定間隔離間して、ほぼ並列する雌コネクタが形成された分岐接続具と、この分岐接続具および前記シースを除去した部位をそれぞれ、該分岐接続具の雌コネクタに分岐線の雄コネクタを差し込み接続でき、かつ該雄コネクタ部位も覆うことができる樹脂モールド絶縁カバー体とからなることを特徴とする幹線ケーブル。
【発明の詳細な説明】
【０００１】
【発明の属する技術分野】
本発明はビル等の建物に設置される各フロアへ電気を供給する幹線ケーブルに関する。
【０００２】
【従来の技術】
従来のこの種の幹線ケーブルは、工場で設置する長さに形成された幹線ケーブル本体と、この幹線ケーブル本体の各フロアに位置する部位のシースを除去した導体部位にそれぞれ分岐スリーブによって接続固定された分岐線と、前記シースを除去した部位および前記分岐スリーブを覆う樹脂モールド絶縁カバー体とで構成されている。
【０００３】
【発明が解決しようとする課題】
従来の幹線ケーブルは工場で幹線ケーブル本体に各フロア用の分岐線を接続固定しているため、工場から設置する現場までの輸送が大きくなり、大変であるとともに、設置する現場では各フロア用の分岐線が接続された状態で一端部を最上階へ吊り上げなければならず、その作業が大変で、手数がかかるという欠点があった。
【０００４】
本発明は以上のような従来の欠点に鑑み、設置する現場での設置作業時に分岐線の接続されていない状態で、楽に吊り上げることができるとともに、現場で幹線ケーブル本体のシースを除去する作業を行なうことなく、分岐線の他方のコネクタを幹線ケーブル本体に工場で取付けられた分岐接続具の一方のコネクタに差し込むだけの簡単で、短時間に行なえる作業で接続することができる幹線ケーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はビル等の建物に設置される幹線ケーブル本体と、この幹線ケーブル本体に所定間隔でシースを除去した導体部位にそれぞれ一端部が嵌合やカシメ等によって固定され、他端部が該幹線ケーブル本体と離間するように一方のコネクタが形成された分岐接続具と、この分岐接続具および前記シースを除去した部位をそれぞれ、該分岐接続具の一方のコネクタに分岐線の他方のコネクタを差し込み接続できるように覆った樹脂モールド絶縁カバー体とで幹線ケーブルを構成している。
【０００７】
【発明の実施の形態】
以下、図面に示す実施の形態により、本発明を詳細に説明する。
【０００８】
図１ないし図８に示す本発明の第１の実施の形態において、１はビル等の建物に設置される本発明の幹線ケーブルで、この幹線ケーブル１は設置される建物に応じた長さに切断された幹線ケーブル本体２と、この幹線ケーブル本体２の上端部に絶縁処理した後に取付けられた、係止リング３を備えるケーブルグリップ４と、前記幹線ケーブル本体２の各フロアに位置するように所定間隔でシース５を除去した導体６部位に、それぞれ一端部が嵌合やカシメ等によって固定されるＣ字状の分岐スリーブ７が形成され、他端部が該幹線ケーブル本体２と所定間隔離間してほぼ下方へ向けて並列する雌コネクタ８が形成された分岐接続具９と、この分岐接続具９および前記シース５を除去した部位１０をそれぞれ該分岐接続具９の雌コネクタ８に分岐線１１の雄コネクタ１２を着脱可能に差し込み、あるいは差込むとロック機構によってロック状態になるように差し込み接続でき、かつ該雄コネクタ１２部位も覆うことができる樹脂モールド絶縁カバー体１３とで構成されている。
【０００９】
上記構成の幹線ケーブル１は工場より設置現場へ輸送され、ウインチ等を用いて建物１４の各フロアの床面の貫通孔１５を通過させて、最上階の天井等に取付けられた係止片１６にケーブルグリップ４の係止リング３を係止させて吊り下げ状態にする。
【００１０】
この状態で、各フロアに位置する分岐接続具９の雌コネクタ８に分岐線１１の雄コネクタ１２を差し込み接続し、該雄コネクタ１２の外周部の樹脂モールド絶縁カバー体１３の雄コネクタ挿入部１７の外周部を覆う、常温収縮あるいは熱収縮チューブ１８とで覆い、密閉状態にすることにより、分岐線１１の幹線ケーブル本体２への接続が完了する。
このため、分岐線１１は必要な時に幹線ケーブル本体２に容易に接続することができる。
【００１１】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図９ないし図１１に示す本発明の第２の実施の形態において、前記本発明の第１の実施の形態と主に異なる点は、雄コネクタ１２が形成された分岐接続具９Ａと、この分岐接続具９Ａの雄コネクタ１２に着脱可能に差し込み、あるいは差込むとロック機構によってロック状態になるように差し込み接続できる雌コネクタ８を分岐線１１Ａに取付けた点で、このように構成された幹線ケーブル１Ａにしても前記本発明の第１の実施の形態と同様な作用効果が得られる。
【００１３】
図１２ないし図１４に示す本発明の第３の実施の形態において、前記本発明の第１の実施の形態と主に異なる点は、分岐スリーブ７に幹線ケーブル本体２に対して、ほぼ直角方向の外方へ突出する雌コネクタ８が形成された分岐接続具９Ｂと、この分岐接続具９Ｂの上下部の外周部が順次小幅寸法となる山形状になるように覆う樹脂モールド絶縁カバー体１３Ａとを用いた点で、このように構成された幹線ケーブル１Ｂにしても、前記本発明の第１の実施の形態と同様な作用効果が得られる。
【００１４】
図１５ないし図１７に示す本発明の第４の実施の形態において、前記本発明の第１の実施の形態と主に異なる点は、分岐線１１の雄コネクタ１２の導体１２ａ部分を覆うカバー１９を雌コネクタ８の先端外周部に一体形成した分岐接続具９Ｃを用いた点で、このように構成した幹線ケーブル１Ｃにしても、前記本発明の第１の実施の形態と同様な作用効果が得られるとともに、樹脂モールド絶縁カバー体１３に雄コネクタ挿入部を形成しなくてもよく、樹脂モールド絶縁カバー体１３の成型加工が容易にできる。
【００１５】
【発明の効果】
以上の説明から明らかなように、本発明にあっては次に列挙する効果が得られる。
【００１６】
（１）ビル等の建物に設置される幹線ケーブル本体と、この幹線ケーブル本体に所定間隔でシースを除去した導体部位にそれぞれ一端部が嵌合やカシメ等によって固定され、他端部が該幹線ケーブル本体と離間するように一方のコネクタが形成された分岐接続具と、この分岐接続具および前記シースを除去した部位をそれぞれ、該分岐接続具の一方のコネクタに分岐線の他方のコネクタを差し込み接続できるように覆った樹脂モールド絶縁カバー体とで構成されているので、分岐線を接続していない状態で設置現場へ輸送し、建物に吊り下げ状態で設置することができる。
したがって、輸送は幹線ケーブルと分岐線とを別々に梱包したものででき、大きくなることなく、楽に輸送することができる。
また、建物への設置時には分岐線のない幹線ケーブルだけを吊り上げるため、スムーズで楽に吊り上げることができ、効率よく設置することができる。
【００１７】
（２）前記（１）によって、分岐線は必要時に分岐接続具の一方のコネクタと差し込み接続できる他方のコネクタが取付けられた分岐線の他方のコネクタの差し込みにより接続することができる。
したがって、分岐線の接続作業が容易で、短時間に行なうことができる。
【００１８】
（３）前記（１）によって、工場で幹線ケーブル本体に所定間隔で分岐接続具を取付け、樹脂モールド絶縁カバーで覆っているので、確実に接続および絶縁を施すことができる。
したがって、高品質で均一な製品を製造することができる。
【００１９】
（４）請求項２も前記（１）〜（３）と同様な作用効果が得られる。
【図面の簡単な説明】
【図１】本発明の第１の実施の形態の一部破断正面図。
【図２】本発明の第１の実施の形態の要部断面図。
【図３】図２の３−３線に沿う断面図。
【図４】図２の４−４線に沿う断面図。
【図５】本発明の第１の実施の形態の分岐接続具の説明図。
【図６】本発明の第１の実施の形態の分岐線の説明図。
【図７】本発明の第１の実施の形態の設置状態の説明図。
【図８】本発明の第１の実施の形態の分岐線を接続した状態の説明図。
【図９】本発明の第２の実施の形態の一部破断正面図。
【図１０】本発明の第２の実施の形態の要部断面図。
【図１１】分岐線を接続した状態の要部断面図。
【図１２】本発明の第３の実施の形態の一部破断正面図。
【図１３】本発明の第３の実施の形態の要部断面図。
【図１４】分岐線を接続した状態の要部断面図。
【図１５】本発明の第４の実施の形態の一部破断正面図。
【図１６】本発明の第４の実施の形態の要部断面図。
【図１７】分岐線を接続した状態の要部断面図。
【符号の説明】
１、１Ａ、１Ｂ、１Ｃ：幹線ケーブル、
２：幹線ケーブル本体、  ３：係止リング、
４：ケーブルグリップ、  ５：シース、
６：導体、              ７：分岐スリーブ、
８：雌コネクタ、
９、９Ａ、９Ｂ、９Ｃ：分岐接続具、
１０：シースを除去した部位、
１１、１１Ａ：分岐線、  １２：雄コネクタ、
１３、１３Ａ：樹脂モールド絶縁カバー体、
１４：建物、            １５：貫通孔、
１６：係止片、          １７：雄コネクタ挿入部、
１８：常温収縮あるいは熱収縮チューブ、
１９：カバー。
【図１】
2005019318.tif 000003
【図２】
2005019318.tif 000004
【図３】
2005019318.tif 000005
【図４】
2005019318.tif 000006
【図５】
2005019318.tif 000007
【図６】
2005019318.tif 000008
【図７】
2005019318.tif 000009
【図８】
2005019318.tif 000010
【図９】
2005019318.tif 000011
【図１０】
2005019318.tif 000012
【図１１】
2005019318.tif 000013
【図１２】
2005019318.tif 000014
【図１３】
2005019318.tif 000015
【図１４】
2005019318.tif 000016
【図１５】
2005019318.tif 000017
【図１６】
2005019318.tif 000018
【図１７】
2005019318.tif 000019